(57)【要約】      （修正有）【課題】接着剤の付きがよく、重さの軽いエクステンション用まつげを提供する。【解決手段】まつげの長さを延長するエクステンション用まつげ１００であって、人工まつげ本体部と、人工まつげ本体部に形成された溝１４とを備える。人工まつげ本体部は、まつげに接触される根本部１５と、該根本部１５とは反対側に位置する先端部１１とを有し、根本部１５における断面は、頂点１２が少なくとも５つあり、頂点１２の間に溝１４が位置する多角形状を有している。【選択図】図２
0003168659.tif 000002
【実用新案登録請求の範囲】
【請求項１】
まつげの長さを延長するエクステンション用まつげであって、
人工まつげ本体部と、
前記人工まつげ本体部に形成された溝と
を備え、
前記人工まつげ本体部は、前記まつげに接触される根本部と、前記根本部とは反対側に位置する先端部とを有し、
前記根本部における断面は、頂点が少なくとも５つあり、前記頂点の間に溝が位置する多角形状を有している、エクステンション用まつげ。
【請求項２】
前記溝は、前記人工まつげ本体部の延長方向に延びて形成されており、
前記溝は、前記根本部から、少なくとも、前記根本部における端面と先端部との中間に位置する中間点まで延びている、請求項１に記載のエクステンション用まつげ。
【請求項３】
前記断面における前記頂点は、正八角形の頂点に位置しており、前記正八角形における頂点の間に前記溝が形成されている、請求項１または２に記載のエクステンション用まつげ。
【請求項４】
前記頂点の先端は、丸みを帯びている、請求項１から３の何れか１つに記載のエクステンション用まつげ。
【考案の詳細な説明】
【技術分野】
【０００１】
本考案は、エクステンション用まつげに関し、特に、断面が多角形のエクステンション用まつげに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂エクステンションと呼ばれる人工まつげが提案されている（例えば、特許文献３など）。このエクステンション（人工まつげ）は、まぶたには接着せずに、接着剤を用いてまつげに直接接着するため、装着感が良く、皮膚がかぶれるおそれが少ない。また、エクステンションは、まつげ一本に対して一本ずつ接着するので、つけまつげに比べて自然な感じでまつげに長さやボリュームを与えることができる。
【先行技術文献】
【特許文献】
【０００４】
【特許文献１】特開２００８−２３１６３２号公報
【特許文献２】特開２００５−１４６５００号公報
【特許文献３】特開２０１０−２４５７９号公報
【考案の概要】
【考案が解決しようとする課題】
【０００５】
特許文献３に開示されたエクステンションには、使用者のまつげの１／４以上を覆うくぼみ部分が形成されている。このくぼみ部分を有するエクステンションに接着剤を塗布し、エクステンションのくぼみ部分に使用者のまつげを密着させながら、エクステンションをまつげに接着することができる。当該くぼみ部分にまつげを密着させることにより、エクステンションとまつげとの接着面積を大きくすることができ、その結果、エクステンションの剥がれやズレを防止することが容易となる。
【０００６】
しかしながら、まつげの一本一本に対して、エクステンションのくぼみ部分を下から正確に嵌め込むのは大変な作業である。すなわち、くぼみ部分のないエクステンション（通常のエクステンション）をまつげに接着する場合には、そのエクステンションとまつげとを接着剤を介して互いに接着させればよいが、特許文献３に開示されたエクステンションの場合、エクステンションのくぼみ部分の内面にまつげ一本一本を合わせる必要がある。くぼみ部分を有するエクステンションは、ピンセットでつまんで操作されるので、くぼみ部分が毎回上向きになるようにするには手間が生じる。
【０００７】
本考案はかかる点に鑑みてなされたものであり、その主な目的は、接着剤の付きがよく、重さの軽いエクステンション用まつげを提供することにある。
【課題を解決するための手段】
【０００８】
本考案に係るエクステンション用まつげは、まつげの長さを延長するエクステンション用まつげであり、人工まつげ本体部と、前記人工まつげ本体部に形成された溝とを備え、前記人工まつげ本体部は、前記まつげに接触される根本部と、前記根本部とは反対側に位置する先端部とを有し、前記根本部における断面は、頂点が少なくとも５つあり、前記頂点の間に溝が位置する多角形状を有している。
【０００９】
ある好適な実施形態において、前記溝は、前記人工まつげ本体部の延長方向に延びて形成されており、前記溝は、前記根本部から、少なくとも、前記根本部における端面と先端部との中間に位置する中間点まで延びている。
【００１０】
ある好適な実施形態において、前記断面における前記頂点は、正八角形の頂点に位置しており、前記正八角形における頂点の間に前記溝が形成されている。
【００１１】
ある好適な実施形態において、前記頂点の先端は、丸みを帯びている。
【考案の効果】
【００１２】
本考案のエクステンション用まつげによれば、人工まつげ本体部と、人工まつげ本体部に形成された溝とを備え、人工まつげ本体部における根本部の断面は、頂点が少なくとも５つあり、その頂点の間に溝が位置する多角形状を有している。したがって、人工まつげ本体部の多角形状の溝によって、接着剤を保持することが容易となり、使用者のまつげと人工まつげ本体部との接着性を良好にすることができる。また、多角形の断面の頂点の間に溝が位置しているので、１つの方向だけでなく他の方向からでも、接着剤を保持した溝を使って、人工まつげ本体部をまつげに接着させることができる。
【００１３】
さらに、人工まつげ本体部には複数本の溝が形成されているので、溝が形成されていないものと比較すると、エクステンション用まつげの重さを軽くすることができる。エクステンション用まつげの一本一本の重さは軽くても、それらは使用者のまつげに取り付けられるものであるから、エクステンション用まつげの重さを軽くできることは、使用者（装着者）の装着感に影響を与えることができ、その結果、つけ心地の感じのよいエクステンション用まつげを実現することができる。
【００１４】
また、断面を八角形の構造にすると、溝が配置される間隔を適切なものにすることができるとともに、そのようなエクステンション用まつげを製造することが比較的容易となるというメリットがある。
【図面の簡単な説明】
【００１５】
【図１】本考案の実施形態に係るエクステンション１００を取り付けた様子を示す図である。
【図２】本考案の実施形態に係るエクステンション１００の構成を示す斜視図である。
【図３】図２中のＡ−Ａ線に沿ったエクステンション１００の断面図である。
【図４】図２中のＢ部分におけるエクステンション１００の拡大図である。
【図５】（ａ）から（ｃ）は、エクステンション１００をまつげ５０に取り付ける方法を説明する図である。
【図６】エクステンション１００を上まつげ５０に取り付けた状態を示す図である。
【図７】エクステンション１００の改変例を示す断面図である。
【図８】エクステンション１００の改変例を示す断面図である。
【図９】エクステンション１００の改変例を示す断面図である。
【考案を実施するための形態】
【００１６】
以下、図面を参照しながら、本考案の実施の形態を説明する。以下の図面においては、説明の簡潔化のため、実質的に同一の機能を有する構成要素を同一の参照符号で示す。なお、本考案は以下の実施形態に限定されない。
【００１７】
図１を参照しながら、本考案の実施形態に係るエクステンション用まつげ１００について説明する。図１は、本実施形態のエクステンション用まつげ１００を、使用者（装着者）のまつげ５０に取り付けた様子を示す図である。
【００１８】
本実施形態のエクステンション用まつげ１００は、使用者５５のまつげ５０の長さを延長する人工まつげである。なお、本実施形態では、エクステンション用まつげを「エクステンション」と称する。
【００１９】
本実施形態のエクステンション１００は、人工まつげ本体部１０と、人工まつげ本体部に形成された溝１４とを備えている。人工まつげ本体部１０は、使用者５５のまつげ５０に接触される根本部１５と、根本部１５とは反対側に位置する先端部１１とを有している。本実施形態の根本部１５における断面は、頂点１２が少なくとも５つあり、頂点１２の間に溝１４が位置する多角形状を有している。
【００２０】
本実施形態のエクステンション１００では、根本部１５に接着剤（グルー）２０が付けられる。そして、エクステンション１００は、接着剤２０によってまつげ５０に接着されて固定される。
【００２１】
図２は、本実施形態のエクステンション１００の構成を示す斜視図である。図３は、図２中のＡ−Ａ線に沿った断面図を示している。図４は、図２中のＢ部分における拡大側面図を示している。
【００２２】
本実施形態のエクステンション１００では、溝１４は、人工まつげ本体部１０の延長方向６０に沿って延びている。また、図３に示すように、人工まつげ本体部１０の断面は、正八角形の構造を有しており、各頂点１２の間に溝１４が形成されている。より具体的には、人工まつげ本体部１０の断面の頂点１２は、正八角形の頂点に位置している。したがって、頂点１２は４５°ごとに形成されている。０°と９０°との間の部分で説明すると、０°と４５°と９０°の位置に頂点１２が位置しており、０°と４５°との頂点の間に溝１４が設けられ、そして、４５°と９０°との頂点の間にも溝１４が設けられている。
【００２３】
本実施形態の人工まつげ本体部１０は、根本部１５が太くて先端部１１が細くなった形状を有している。また、本実施形態の人工まつげ本体部１０は、例えば、樹脂（典型的には、ポリブチレンテレフタレート、ポリエステル、アクリル、塩化ビニール、ナイロン）から構成されており、人工まつげ本体部１０の長さは、例えば５ｍｍ〜２０ｍｍであり、直径（または厚さ）は例えば０．０７ｍｍ〜０．３ｍｍである。
【００２４】
人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。また、人工まつげ本体部１０と称しているが、人工的にまつげの長さを延長するという意味であるので、構成材料は人工材料（樹脂など）に限らず、天然素材の材料（例えば、動物由来の材料（典型的には、人毛、獣毛（ミンクなどの毛）、または、シルク）、植物由来の材料（典型的には綿））を使用することも可能である。
【００２５】
人工まつげ本体部１０に形成される溝１４の深さＴは、太さを１００とした場合に、例えば２０から４０（典型的には３０）にすることができる。本実施形態の構成では、溝１４は、根本部１５の端面１５ａから先端部１１まで形成されている。ただし、必ずしも先端部１１の先まで溝１４を形成しなくてもよく、少なくとも根本部１５に形成されていればよい。これは、エクステンション１００の製造方法によっては、径が細くなる先端部１１において溝１４が消えてしまうことがあるからである。
【００２６】
本実施形態のエクステンション１００では、例えば、溝１４は、根本部１５から、根本部１５の端面１５ａと先端部１１との中間に位置する中間点１７まで延ばすようにすることができる。なお、エクステンション１００の製造方法によっては、根本部１５の端面１５ａの位置では、人工まつげ本体部１０の一部が溶けて溝１４が消えた構造になることもある。したがって、根本部１５の部分に溝１４が形成されていても、根本部１５の端面１５ａの箇所に溝１４が形成されていなくてもよい。
【００２７】
次に、図５（ａ）から（ｃ）を参照しながら、本実施形態のエクステンション１００をまつげ５０に取り付ける方法を説明する。
【００２８】
まず、図５（ａ）に示すように、エクステンション１００の一部をピンセット７０で掴み、そして根本部１５に接着剤２０を塗布した状態で、エクステンション１００をまつげ５０の近くに持っていく。
【００２９】
次に、図５（ｂ）に示すように、エクステンション１００の接着剤２０をまつげ５０に付けて、エクステンション１００をまつげ５０に密着させる。そして、接着剤２０が硬化して、エクステンション１００がまつげ５０に固定されたならば、図５（ｃ）に示すように、ピンセット７０を外して、エクステンション１００の取り付けが完了する。この作業を各まつげ５０について行う。
【００３０】
本実施形態のエクステンション１００では、人工まつげ本体部１０における根本部の断面は、頂点１２の間に溝１４が位置する多角形状を有している。したがって、人工まつげ本体部１０の多角形状の溝１４によって、接着剤２０を保持することが容易となり、使用者５５のまつげ５０と人工まつげ本体部１０との接着性を良好にすることができる。また、多角形の断面の頂点１２の間に溝１４が位置しているので、１つの方向だけでなく他の方向からでも、接着剤を保持した溝１４を使って、人工まつげ本体部１０をまつげ５０に接着させることができる。したがって、１つの方向にＣ字型のくぼみが形成されたエクステンションと比較すると、エクステンション１００をまつげ５０に取り付けるのが容易になる。
【００３１】
さらに、人工まつげ本体部１０には複数本の溝１４が形成されているので、溝１４が形成されていないものと比較すると、エクステンション１００の重さ（質量）を軽くすることができる。エクステンション１００の一本一本の重さは軽くても、それらは使用者のまつげに取り付けられるものであるから、エクステンション１００の重さを軽くできることは、使用者５５の使用感に影響を与えることができ、その結果、つけ心地の感じのよいエクステンション１００を実現することができる。本実施形態のエクステンション１００では、人工まつげ本体部１０の太さや溝１４の深さＴにも依存するが、複数の溝１４がないものと比較して、エクステンションの重さを例えば１０％〜７０％程度軽くすることが可能である。
【００３２】
図６は、上まつげ５０のそれぞれにエクステンション１００を取り付けた様子を示している。図６に示すように、数多くのまつげ５０にエクステンション１００が取り付けられる。本実施形態のエクステンション１００では、人工まつげ本体部１０の複数の溝１４を利用することによって、人工まつげ本体部１０をまつげ５０に取り付けることが簡単となるので、数多くのエクステンション１００の取り付け作業を、溝のない従来のものと比較して楽にすることができる。
【００３３】
加えて、本実施形態のエクステンション１００の重さは、溝のない従来のものと比較して軽い。したがって、数多くのエクステンション１００をまつげ５０に付けたとしても、従来のものと比べて、使用者５５に軽い感じを与えることができる。すなわち、従来のエクステンションでは得られなかった軽い感じを使用者５５に提供することができる。
【００３４】
図２及び図３に示したような本実施形態のエクステンション１００は、例えば、次のようにして製造することができる。まず、図３に示したような断面形状の開口部を有する金型から樹脂を押し出し、頂点１２と溝１４を有する繊維状の材料を作製する。次に、その繊維状の材料を、人工まつげ本体部１０と同じ長さに切断する。その後、その切断で得られた人工まつげ本体部１０の一部を薬品に浸して、人工まつげ本体部１０の先端部１１を細くすることによって、本実施形態のエクステンション１００を得ることができる。図３に示すように頂点１２が正八角形を有する形状の場合、頂点１２を４５°の間隔で金型を形成すればよいので便利である。
【００３５】
なお、本実施形態のエクステンション１００が天然素材の材料からなる場合は、天然材料の人工まつげ本体部１０に、刃物などを用いた加工によって溝１４を形成して、エクステンション１００を作製することも可能である。
【００３６】
また、本実施形態のエクステンション１００は、次のように改変することが可能である。図３に示したエクステンション１００では、断面の頂点１２を尖らせた形態にしていたが、図７に示すように頂点１２が丸みを帯びるようにしても構わない。
【００３７】
また、図３に示したエクステンション１００では、断面の頂点１２は、八角形（特に、正八角形）の頂点の位置に配置されているが、図８に示すように五角形（特に、正五角形）の頂点の位置でも構わない。また、図９に示すように、断面の頂点１２は、六角形（特に、正六角形）の位置にすることも可能である。断面の頂点１２が正多角形（正八角形など）の頂点の位置にあると、溝１４が均等間隔に配置されるため、好適な形状ないし構造になるので好ましい。また、溝１４が均等間隔に配置されることにより、重さが軽くなっても、比較的強度を位置することができるので好ましい。
【００３８】
以上、本考案を好適な実施形態により説明してきたが、こうした記述は限定事項ではなく、勿論、種々の改変が可能である。例えば、図６に示した構成において、下まつげにエクステンション１００を取り付けても構わない。さらには、図５（ａ）から（ｃ）に示した状態において、接着剤２０ではなくて、液体（例えば、水、又は、水よりも粘度が大きい液体（典型的には、液状の化粧品））を用いて、人工まつげ本体部１０をまつげ５０に仮止めすることも可能である。この仮止めによって、使用者（装着者）５５が、本実施形態のエクステンション１００のデザインや付け心地などを確認することができる。そして、本実施形態のエクステンション１００の場合、当該液体（水や、液状の化粧品）は、その表面張力によって、人工まつげ本体部１０の溝１４に保持されるので、仮止め作業もし易いという利点もある。
【産業上の利用可能性】
【００３９】
本考案によれば、接着剤の付きがよく、重さの軽いエクステンション用まつげ（エクステンション）を提供することができる。
【符号の説明】
【００４０】
１０ 本体部
１１ 先端部
１２ 頂点
１４ 溝
１５ 根本部
１５ａ 根本部の端面
１７ 中間点
２０ 接着剤（グルー）
５５ 使用者（装着者）
６０ 延長方向
７０ ピンセット
１００ エクステンション
【図１】
0003168659.tif 000003
【図２】
0003168659.tif 000004
【図３】
0003168659.tif 000005
【図４】
0003168659.tif 000006
【図５】
0003168659.tif 000007
【図６】
0003168659.tif 000008
【図７】
0003168659.tif 000009
【図８】
0003168659.tif 000010
【図９】
0003168659.tif 000011